(57)【要約】【課題】携帯端末の大型を抑えつつ、ユーザが必要な機能を適宜選択して利用でき、しかも信頼性を高める。【解決手段】携帯電話１０に対し、通信周波数帯域が互いに異なる複数種のアンテナユニット１００Ａ、１００Ｂ、１００Ｃが装着可能とされ、携帯電話１０は、装着されたアンテナユニット１００Ａ、１００Ｂ、１００Ｃのアンテナ、１０３Ａ、１０３Ｂ、１０３Ｃが、無線通信回路２０Ａ、２０Ｂ、２０Ｃおよびアンテナ種類判別回路３０の中から、それぞれの通信周波数帯域が対応したものに接続されることによって、外部との通信、情報受信を行う。【選択図】図３
2014022911.tif 000002
【特許請求の範囲】
【請求項１】
携帯端末に対し、通信周波数帯域が互いに異なる複数種のアンテナユニットが装着可能とされ、
前記携帯端末は、
前記アンテナユニットが装着可能なアンテナ装着部を有した筐体と、
前記筐体内に設けられ、通信周波数帯域が互いに異なる複数系統の通信制御部と、
複数系統の前記通信制御部のそれぞれに導通し、互いに異なる位置において前記アンテナ装着部に臨むよう設けられた複数の給電部と、
前記アンテナ装着部に臨む位置に対となる端子がそれぞれ設けられた複数系統の判別回路と、
複数系統の前記判別回路のいずれか一系統において、対となる前記端子どうしが短絡されたときに、複数系統の前記通信制御部のうち、予め定められた系統の前記通信制御部を動作させる制御部と、を備え、
前記アンテナユニットは、
定められた通信周波数帯域で通信可能なアンテナと、
前記アンテナユニットが前記アンテナ装着部に装着されたときに、前記アンテナの前記通信周波数帯域に対応した系統の前記給電部に電気的に接続される位置に設けられたアンテナ端子と、
前記アンテナユニットが前記アンテナ装着部に装着されたときに、前記アンテナの前記通信周波数帯域に対応した系統の前記判別回路の前記端子どうしを短絡させる短絡回路と、を備えることを特徴とする携帯端末システム。
【請求項２】
アンテナユニットが装着可能なアンテナ装着部を有した筐体と、
前記筐体内に設けられ、通信周波数帯域が互いに異なる複数系統の通信制御部と、
複数系統の前記通信制御部のそれぞれに導通し、互いに異なる位置において前記アンテナ装着部に臨むよう設けられた複数の給電部と、
前記アンテナ装着部に臨む位置に対となる端子がそれぞれ設けられた複数系統の判別回路と、
複数系統の前記判別回路のいずれか一系統において、対となる前記端子どうしが短絡されたときに、複数系統の前記通信制御部のうち、予め定められた系統の前記通信制御部を動作させる制御部と、を備えることを特徴とする携帯端末。
【請求項３】
請求項２に記載の携帯端末に装着されるアンテナユニットであって、
定められた通信周波数帯域で通信可能なアンテナと、
前記アンテナ装着部に装着されたときに、前記アンテナの前記通信周波数帯域に対応した系統の前記給電部に電気的に接続される位置に設けられたアンテナ端子と、
前記アンテナユニットが前記アンテナ装着部に装着されたときに、前記アンテナの前記通信周波数帯域に対応した系統の前記判別回路の前記端子どうしを短絡させる短絡回路と、を備えることを特徴とするアンテナユニット。
【発明の詳細な説明】
【技術分野】
【０００１】
本発明は、無線通信機能を有した、携帯電話端末、携帯情報端末をはじめとする各種の携帯端末システム、携帯端末、アンテナユニットに関する。
【背景技術】
【０００２】
携帯電話端末、携帯情報端末をはじめとする各種の携帯端末においては、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、Ｂｌｕｅｔｏｏｔｈ（登録商標）、ＷＬＡＮ（Ｗｉｒｅｌｅｓｓ  Ｌｏｃａｌ  Ａｒｅａ  Ｎｅｔｗｏｒｋ）、ＤＴＶ（Ｄｉｇｉｔａｌ  Ｔｅｌｅｖｉｓｉｏｎ）放送等による外部との通信、ＧＰＳ（Ｇｌｏｂａｌ  Ｐｏｓｉｔｉｏｎｉｎｇ  Ｓｙｓｔｅｍ）、マルチメディア放送、ＦＭ（Ｆｒｅｑｕｅｎｃｙ  Ｍｏｄｕｌａｔｉｏｎ）放送等、外部からの情報の受信を、無線により行うためにアンテナを備えたものがある。
【０００３】
ここで、特許文献１には、利得を向上させるために、携帯電話端末の本体に対し、形状の異なるアンテナを着脱可能とした構成が開示されている。
【０００４】
特許文献２には、用途に応じて、ＲＦ（Ｒａｄｉｏ  Ｆｒｅｑｕｅｎｃｙ）タグ用情報端末装置に対し、大きさの異なるアンテナを着脱可能とした構成が開示されている。
【０００５】
特許文献３には、携帯端末の本体に対し、通信を行わないときには、アンテナを取り外し可能とした構成が開示されている。
【０００６】
ところで、多機能化のために、一台の携帯端末において、通信周波数帯域が異なる複数種の通信や情報受信を行うことができるようにすることがある。その場合、複数の通信周波数帯域で通信や情報受信を行うには、それぞれの通信周波数帯域に対応した複数のアンテナを備える必要があるが、複数のアンテナを備えたのでは、携帯端末が大型化してしまう。
また、特許文献１〜３のように、それぞれのアンテナを着脱可能な構成としても、アンテナの取付部が複数存在することには変わりがなく、携帯端末の大型化という問題は解決できない。
【０００７】
そこで、特許文献４には、携帯端末において、一つのアンテナ取付部に対し、複数種のアンテナが装着できるようにし、装着されたアンテナの種類（通信周波数帯域）に対応した通信制御回路が動作して、通信制御を行う構成が開示されている。このような特許文献４に記載の技術によれば、ユーザが利用する機能に対応した通信周波数帯域のアンテナを装着することによって、携帯端末の大型化を抑えつつ、ユーザが必要な機能を適宜選択して利用できるようになっている。
【０００８】
この特許文献４に記載の技術では、アンテナの種類毎（通信周波数帯域）に位置が異なるコネクタ部が設けられている。そして、携帯端末側のアンテナ取付部には、それぞれのコネクタ部に対応した位置にセンサが設けられ、アンテナが装着されたときにコネクタ部が通電したセンサを特定することでアンテナの種類を判別する。そして、判別されたアンテナの種類に応じてスイッチを操作し、そのアンテナに対応した通信制御部とアンテナとを電気的に接続し、信号のやり取りを可能とする。
【先行技術文献】
【特許文献】
【０００９】
【特許文献１】特開２００２−４４２０５号公報
【特許文献２】特開２００１−１０１３５３号公報
【特許文献３】特開２００２−２９０２６４号公報
【特許文献４】特開２００９−２４６４７０号公報
【発明の概要】
【発明が解決しようとする課題】
【００１０】
しかしながら、特許文献４に記載の構成においては、アンテナの種類を判別するために、センサや、可動部を有するスイッチを用いており、これらの部品は故障しやすいという問題がある。
そこでなされた本発明の目的は、携帯端末の大型を抑えつつ、ユーザが必要な機能を適宜選択して利用でき、しかも信頼性を高めることのできる携帯端末システム、携帯端末、アンテナユニットを提供することである。
【課題を解決するための手段】
【００１１】
本発明は、上記課題を解決するため、以下の手段を採用する。
すなわち、本発明は、携帯端末に対し、通信周波数帯域が互いに異なる複数種のアンテナユニットが装着可能とされ、前記携帯端末は、前記アンテナユニットが装着可能なアンテナ装着部を有した筐体と、前記筐体内に設けられ、通信周波数帯域が互いに異なる複数系統の通信制御部と、複数系統の前記通信制御部のそれぞれに導通し、互いに異なる位置において前記アンテナ装着部に臨むよう設けられた複数の給電部と、前記アンテナ装着部に臨む位置に対となる端子がそれぞれ設けられた複数系統の判別回路と、複数系統の前記判別回路のいずれか一系統において、対となる前記端子どうしが短絡されたときに、複数系統の前記通信制御部のうち、予め定められた系統の前記通信制御部を動作させる制御部と、を備え、前記アンテナユニットは、定められた通信周波数帯域で通信可能なアンテナと、前記アンテナユニットが前記アンテナ装着部に装着されたときに、前記アンテナの前記通信周波数帯域に対応した系統の前記給電部に電気的に接続される位置に設けられたアンテナ端子と、前記アンテナユニットが前記アンテナ装着部に装着されたときに、前記アンテナの前記通信周波数帯域に対応した系統の前記判別回路の前記端子どうしを短絡させる短絡回路と、を備えることを特徴とする携帯端末システムを提供する。
【００１２】
また、本発明は、アンテナユニットが装着可能なアンテナ装着部を有した筐体と、前記筐体内に設けられ、通信周波数帯域が互いに異なる複数系統の通信制御部と、複数系統の前記通信制御部のそれぞれに導通し、互いに異なる位置において前記アンテナ装着部に臨むよう設けられた複数の給電部と、前記アンテナ装着部に臨む位置に対となる端子がそれぞれ設けられた複数系統の判別回路と、複数系統の前記判別回路のいずれか一系統において、対となる前記端子どうしが短絡されたときに、複数系統の前記通信制御部のうち、予め定められた系統の前記通信制御部を動作させる制御部と、を備えることを特徴とする携帯端末を提供することもできる。
【００１３】
本発明は、上記した携帯端末に装着されるアンテナユニットであって、定められた通信周波数帯域で通信可能なアンテナと、前記アンテナ装着部に装着されたときに、前記アンテナの前記通信周波数帯域に対応した系統の前記給電部に電気的に接続される位置に設けられたアンテナ端子と、前記アンテナユニットが前記アンテナ装着部に装着されたときに、前記アンテナの前記通信周波数帯域に対応した系統の前記判別回路の前記端子どうしを短絡させる短絡回路と、を備えることを特徴とするアンテナユニットを提供することもできる。
【発明の効果】
【００１４】
本発明によれば、携帯端末の大型を抑えつつ、ユーザが必要な機能を適宜選択して利用できる。また、センサやスイッチを用いる必要がないため、信頼性を高めることができる。
【図面の簡単な説明】
【００１５】
【図１】本実施形態に係る携帯電話の一例を示す斜視図である。
【図２】携帯電話の部品の概略構成を示す斜視展開図である。
【図３】第二筐体の構成、および第二筐体に装着するアンテナユニットを示す図である。
【図４】第二筐体に装着する他のアンテナユニットを示す図である。
【図５】第二筐体に装着するさらに他のアンテナユニットを示す図である。
【図６】本実施形態の変形例における第二筐体の構成、および第二筐体に装着するアンテナユニットを示す図である。
【発明を実施するための形態】
【００１６】
以下、添付図面を参照して、本発明による携帯端末システムを実施するための最良の形態を説明する。しかし、本発明はこれらの実施例のみに限定されるものではない。
【００１７】
図１に示すように、携帯電話１０は、情報を表示する液晶ディスプレイ等からなる表示部１１ａを有する第一筐体１１と、各種操作を行うための操作キー１２ａを有する第二筐体１２とが、ヒンジ１３を介して回動自在に連結され、これによって、第一筐体１１と第二筐体１２とを、折り畳み・展開可能となっている。
【００１８】
図２に示すように、第一筐体１１は、その内部に、第一回路基板１４等を備えている。
第二筐体１２は、その内部に、第二回路基板１５、バッテリ（図示無し）等を備えている。
第一回路基板１４と第二回路基板１５は、フレキシブル回路基板等からなる帯状の接続基板１６により接続されている。
【００１９】
本実施形態の携帯端末システムにおいては、携帯電話１０には、通信周波数帯域が互いに異なる複数種のアンテナユニット１００が着脱自在に装着できるようになっている。このため、第二筐体１２においてヒンジ１３側の端部に、複数種のアンテナユニット１００が装着可能なアンテナ装着部１８が形成されている。
【００２０】
図３に示すように、第二筐体１２内の第二回路基板１５には、複数組（本実施形態では３組）の無線通信回路２０Ａ、２０Ｂ、２０Ｃが設けられている。
無線通信回路２０Ａ、２０Ｂ、２０Ｃは、互いに異なる所定の周波数帯域の無線通信を行うもので、それぞれ、予め定められた所定周波数領域に対応した、アンテナ整合回路２１Ａ、２１Ｂ、２１Ｃ、通信制御部２２Ａ、２２Ｂ、２２Ｃを備えている。
ここで、本実施形態では、無線通信回路２０ＡをＷＣＤＭＡ通信（８００ＭＨｚ帯および２ＧＨｚ帯）、無線通信回路２０ＢをＢｌｕｅｔｏｏｔｈ通信（２．４ＧＨｚ帯：Ｂｌｕｅｔｏｏｔｈは登録商標）、無線通信回路２０ＣをＧＰＳ信号受信（約１．５７５ＧＨｚ）に用いるものとする。
【００２１】
第二回路基板１５には、アンテナ整合回路２１Ａ、２１Ｂ、２１Ｃを介して通信制御部２２Ａ、２２Ｂ、２２Ｃに電気的に接続された第一給電点２３、第二給電点２４、第三給電点２５が設けられている。これら第一給電点２３、第二給電点２４、第三給電点２５は、アンテナ装着部１８に臨む位置において、互いに異なる規定の位置に設けられている。
【００２２】
また、第二筐体１２において、ヒンジ１３側の端部に形成されたアンテナ装着部１８に臨む位置には、第一給電点２３、第二給電点２４、第三給電点２５とは異なる位置に、第二筐体１２に接続されたアンテナユニット１００の種類を判別するアンテナ種類判別回路３０が設けられている。
【００２３】
アンテナ種類判別回路３０は、共通端子３１と、無線通信回路２０Ａ、２０Ｂ、２０Ｃの系統数に対応した判別端子３２Ａ、３２Ｂ、３２Ｃと、を備えている。これら共通端子３１と、判別端子３２Ａ、３２Ｂ、３２Ｃは、第二筐体１２において、ヒンジ１３側の端部に形成されたアンテナ装着部１８に臨む位置において、互いに異なる規定の位置に設けられている。アンテナ種類判別回路３０は、共通端子３１と判別端子３２Ａ、共通端子３１と判別端子３２Ｂ、共通端子３１と判別端子３２Ｃがそれぞれ対となることで、３系統の判別回路を有している。
【００２４】
携帯電話１０は、予め定められたプログラムに基づいた処理を実行することで、携帯電話１０の動作を制御する制御部１９をさらに有する。制御部１９は、第一回路基板１４上に実装されたＣＰＵやメモリ等が協働することによって機能的に実現される。
【００２５】
アンテナユニット１００は、アンテナ装着部１８に装着可能な取付面１０１を備えている。この取付面１０１は、アンテナ装着部１８に対向させた状態で、それぞれに形成された凹凸や係止爪等からなる係合部を互いに係合させることで、アンテナ装着部１８に装着することが可能とされている。
【００２６】
アンテナユニット１００の筐体１０２の内部には、予め定められた通信周波数帯域で通信可能なアンテナ１０３が内蔵されている。本実施形態では、図３〜図５に示すように、通信周波数帯域が互いに異なる３種類のアンテナ１０３Ａ、１０３Ｂ、１０３Ｃを内蔵した、３種類のアンテナユニット１００Ａ、１００Ｂ、１００Ｃが、第二筐体１２に装着可能とされている。
【００２７】
アンテナ１０３Ａ、１０３Ｂ、１０３Ｃには、アンテナユニット１００Ａ、１００Ｂ、１００Ｃのアンテナ端子１０４Ａ、１０４Ｂ、１０４Ｃが、取付面１０１から直交する方向に突出して設けられている。ここで、取付面１０１におけるアンテナ端子１０４Ａ、１０４Ｂ、１０４Ｃの位置は、アンテナ１０３Ａ、１０３Ｂ、１０３Ｃの通信周波数帯域によって互いに異なるよう設定され、取付面１０１をアンテナ装着部１８に装着したときに、無線通信回路２０Ａ、２０Ｂ、２０Ｃの第一給電点２３、第二給電点２４、第三給電点２５のうち、アンテナ１０３Ａ、１０３Ｂ、１０３Ｃの通信周波数帯域に合致した系統のものに電気的に接続されるようにされている。
【００２８】
すなわち、図３に示すように、アンテナユニット１００Ａを第二筐体１２に装着し、取付面１０１をアンテナ装着部１８に対向させた状態では、アンテナ端子１０４Ａが、無線通信回路２０Ａの第一給電点２３に嵌合して電気的に接続される。
図４に示すように、アンテナユニット１００Ｂを第二筐体１２に装着し、取付面１０１をアンテナ装着部１８に対向させた状態では、アンテナ端子１０４Ｂが、無線通信回路２０Ｂの第二給電点２４に嵌合して電気的に接続される。
図５に示すように、アンテナユニット１００Ｃを第二筐体１２に装着し、取付面１０１をアンテナ装着部１８に対向させた状態では、アンテナ端子１０４Ｃが、無線通信回路２０Ｃの第三給電点２５に嵌合して電気的に接続される。
【００２９】
また、図３〜図５に示すように、アンテナユニット１００Ａ、１００Ｂ、１００Ｃには、短絡回路１０５Ａ、１０５Ｂ、１０５Ｃが設けられている。これら短絡回路１０５Ａ、１０５Ｂ、１０５Ｃの一端には、アンテナユニット１００Ａ、１００Ｂ、１００Ｃが第二筐体１２に装着されて、取付面１０１をアンテナ装着部１８に対向させた状態で、共通端子３１に導通する位置に、接触端子１０６がそれぞれ設けられている。
【００３０】
また、図３に示すように、短絡回路１０５Ａの他端には、取付面１０１をアンテナ装着部１８に対向させた状態で判別端子３２Ａに導通する位置に、接触端子１０７Ａが設けられている。
図４に示すように、短絡回路１０５Ｂの他端には、取付面１０１をアンテナ装着部１８に対向させた状態で判別端子３２Ｂに導通する位置に、接触端子１０７Ｂが設けられている。
図５に示すように、短絡回路１０５Ｃの他端には、取付面１０１をアンテナ装着部１８に対向させた状態で判別端子３２Ｃに導通する位置に、接触端子１０７Ｃが設けられている。
【００３１】
このようなアンテナユニット１００Ａ、１００Ｂ、１００Ｃのいずれか一つが第二筐体１２に装着されると、例えば、アンテナ１０３Ａ、１０３Ｂ、１０３Ｃが、アンテナ端子１０４Ａ、１０４Ｂ、１０４Ｃを介し、通信周波数帯域が対応する系統の無線通信回路２０Ａ、２０Ｂ、２０Ｃに電気的に接続される。また、短絡回路１０５Ａ、１０５Ｂ、１０５Ｃにより、対となる共通端子３１と判別端子３２Ａ、共通端子３１と判別端子３２Ｂ、共通端子３１と判別端子３２Ｃのうち、アンテナ１０３Ａ、１０３Ｂ、１０３Ｃの通信周波数帯域に対応した系統が短絡されて導通する。
【００３２】
具体的には、図３に示すように、アンテナユニット１００Ａを第二筐体１２に装着すると、アンテナ端子１０４Ａが第一給電点２３に電気的に接続され、アンテナ１０３Ａと無線通信回路２０Ａとの間で信号のやり取りを行うことができるようになる。また、接触端子１０６、１０７Ａが、対となる共通端子３１と判別端子３２Ａとに電気的に接続される。これにより、共通端子３１と判別端子３２Ａとからなる系統の判別回路が、短絡回路１０５Ａによって短絡されて導通する。
【００３３】
図４に示すように、アンテナユニット１００Ｂを第二筐体１２に装着すると、アンテナ端子１０４Ｂが第二給電点２４に電気的に接続され、アンテナ１０３Ｂと無線通信回路２０Ｂとの間で信号のやり取りを行うことができる。また、接触端子１０６、１０７Ｂが、対となる共通端子３１と判別端子３２Ｂとに電気的に接続される。これにより、共通端子３１と判別端子３２Ｂとからなる系統の判別回路が、短絡回路１０５Ｂによって短絡されて導通する。
【００３４】
図５に示すように、アンテナユニット１００Ｃを第二筐体１２に装着すると、アンテナ端子１０４Ｃが第三給電点２５に電気的に接続され、アンテナ１０３Ｃと無線通信回路２０Ｃとの間で信号のやり取りを行うことができる。また、接触端子１０６、１０７Ｃが、対となる共通端子３１と判別端子３２Ｃとが電気的に接続される。これにより、共通端子３１と判別端子３２Ｃとからなる系統の判別回路が、短絡回路１０５Ｃによって短絡されて導通する。
【００３５】
携帯電話１０の動作を司る制御部１９は、アンテナ装着部１８に、アンテナユニット１００Ａ、１００Ｂ、１００Ｃのいずれか一つが装着されたときに、装着されたアンテナユニット１００Ａ、１００Ｂ、１００Ｃの通信周波数帯域に応じた通信を制御する。
すなわち、制御部１９は、共通端子３１と、判別端子３２Ａ、３２Ｂ、３２Ｃのいずれか一つとが導通し、アンテナ種類判別回路３０の複数系統のうちのいずれか一系統が短絡されたときに、アンテナユニット１００Ａ、１００Ｂ、１００Ｃの中から、装着されたものを判別する。そして、その判別結果に基づき、判別端子３２Ａ、３２Ｂ、３２Ｃのいずれが導通したのかを判別する。
【００３６】
そして、制御部１９は、上記判別結果に基づき、複数系統の通信制御部２２Ａ、２２Ｂ、２２Ｃのうち、予め定められた系統を動作させる。
例えば、アンテナユニット１００Ａが装着された場合には、無線通信回路２０Ａの通信制御部２２Ａを動作させて、アンテナ整合回路２１Ａを介してアンテナ１０３Ａにより外部との信号の送受信を行う。
また、アンテナユニット１００Ｂが装着された場合、制御部１９は、無線通信回路２０Ｂの通信制御部２２Ｂを動作させて、アンテナ整合回路２１Ｂを介してアンテナ１０３Ｂにより外部との信号の送受信を行う。
さらに、アンテナユニット１００Ｃが装着された場合、制御部１９は、無線通信回路２０Ｃの通信制御部２２Ｃを動作させて、アンテナ整合回路２１Ｃを介してアンテナ１０３Ｃにより外部との信号の送受信を行う。
【００３７】
上述した携帯電話システムによれば、第二筐体１２に、複数種のアンテナユニット１００Ａ、１００Ｂ、１００Ｃが装着可能とされ、アンテナユニット１００Ａ、１００Ｂ、１００Ｃのいずれか一つが装着されたときに、装着されたアンテナユニット１００Ａ、１００Ｂ、１００Ｃのアンテナ、１０３Ａ、１０３Ｂ、１０３Ｃが、無線通信回路２０Ａ、２０Ｂ、２０Ｃおよびアンテナ種類判別回路３０に対し、それぞれの通信周波数帯域が対応した系統に接続されることによって、外部との通信、情報受信を行うことができる。
【００３８】
これにより、携帯電話１０のユーザは、複数種のアンテナユニット１００Ａ、１００Ｂ、１００Ｃの中から、自らが利用したい機能に対応したものを第二筐体１２に装着すれば、外部との通信、情報受信を行って所望の機能を利用することができる。
このとき、携帯電話１０が複数の機能を備えた多機能のものであっても、必要な機能のアンテナユニット１００Ａ、１００Ｂ、１００Ｃのみを装着すれば良いので、全ての機能を用いるための複数のアンテナを同時に備える必要がなく、携帯電話１０の大型化、重量増大を防ぐことができる。
しかも、上記構成では、センサやスイッチを用いることなく、可動部の無い構成によって上記効果を得ることができるため、信頼性を高めることができる。
【００３９】
さらに、アンテナユニット１００Ａ、１００Ｂ、１００Ｃのいずれか一つを装着したときに、短絡回路１０５Ａ、１０５Ｂ、１０５Ｃにより、制御部１９では、アンテナユニット１００Ａ、１００Ｂ、１００Ｃの中から装着されたものを判別することができ、無線通信回路２０Ａ、２０Ｂ、２０Ｃの中から、装着されたアンテナユニット１００Ａ、１００Ｂ、１００Ｃに対応したもののみを動作させることができる。これによって、不要な回路を動作させることなく、消費電力を抑えることができる。
【００４０】
（その他の実施形態）
なお、本発明の携帯端末システム、携帯端末、アンテナユニットは、図面を参照して説明した上述の各実施形態に限定されるものではなく、その技術的範囲において様々な変形例が考えられる。
例えば、アンテナユニット１００Ａ、１００Ｂ、１００Ｃに、無線通信回路２０Ａ、２０Ｂ、２０Ｃの一部、例えば、アンテナ整合回路２１Ａ、２１Ｂ、２１Ｃを内蔵する構成とすることも可能である。図６に示した例では、アンテナユニット１００Ａに、アンテナ整合回路２１Ａを内蔵した構成としている。この場合、取付面１０１とアンテナ装着部１８には、アンテナ整合回路２１Ａを設置させるための端子１０８Ａ、１０９Ａを設ける。
このようにすることで、第二筐体１２内の部品実装エリアの節約となり、第二筐体１２内のスペースの有効利用化、第二筐体１２の小型化を図ることができる。
【００４１】
また、上記実施形態では、アンテナユニット１００Ａ、１００Ｂ、１００Ｃを第二筐体１２に装着するようにしたが、第一筐体１１にアンテナユニット１００Ａ、１００Ｂ、１００Ｃを装着するようにしても良い。なお、アンテナユニット１００Ａ、１００Ｂ、１００Ｃは、携帯電話１０を保持するユーザの手により通信が阻害されるのを防ぐため、手の影響を回避できる位置に配置するのが好ましい。
【００４２】
さらに、無線通信回路２０Ａ、２０Ｂ、２０Ｃのうちの２つを同時に利用したい場合には、第一筐体１１、第二筐体１２にそれぞれアンテナユニット１００Ａ、１００Ｂ、１００Ｃのうちの一つを装着するようにしても良い。
【００４３】
また、アンテナユニット１００Ａ、１００Ｂ、１００Ｃの一つに、２つのアンテナを備えることで、２つの周波数帯域を用いた機能を同時に利用することができる。
【００４４】
さらには、上記実施形態では、携帯電話１０は３つのアンテナユニット１００Ａ、１００Ｂ、１００Ｃが装着可能とされているが、複数であれば、２つのみでも、あるいは４つ以上のアンテナユニットを着脱可能としても良い。
【００４５】
加えて、上記実施形態では、携帯電話１０を、折り畳み可能な構成としているが、第一筐体１１と第二筐体１２とが一方向にスライド自在とされたスライド展開式や、一つの筐体のみからなる場合であっても、本発明を同様に適用することができる。
さらに、携帯端末として携帯電話１０を例に挙げたが、これに限るものではなく、無線通信を行うのであれば、いかなる携帯端末であっても良い。
これ以外にも、本発明の主旨を逸脱しない限り、上記実施の形態で挙げた構成を取捨選択したり、他の構成に適宜変更したりすることが可能である。
【符号の説明】
【００４６】
１０…携帯電話（携帯端末）  １１…第一筐体  １１ａ…表示部  １２…第二筐体（筐体）  １２ａ…操作キー  １３…ヒンジ  １４…第一回路基板  １５…第二回路基板  １６…接続基板  １８…アンテナ装着部  １９…制御部  ２０Ａ、２０Ｂ、２０Ｃ…無線通信回路  ２１Ａ、２１Ｂ、２１Ｃ…アンテナ整合回路  ２２Ａ、２２Ｂ、２２Ｃ…通信制御部  ２３…第一給電点（給電部）  ２４…第二給電点（給電部）  ２５…第三給電点（給電部）  ３０…アンテナ種類判別回路  ３１…共通端子  ３２Ａ、３２Ｂ、３２Ｃ…判別端子  １００、１００Ａ、１００Ｂ、１００Ｃ…アンテナユニット  １０１…取付面  １０２…筐体  １０３、１０３Ａ、１０３Ｂ、１０３Ｃ…アンテナ  １０４Ａ、１０４Ｂ、１０４Ｃ…アンテナ端子  １０５Ａ、１０５Ｂ、１０５Ｃ…短絡回路  １０６…接触端子  １０７Ａ、１０７Ｂ、１０７Ｃ…接触端子  １０８Ａ、１０９Ａ…端子
【図１】
2014022911.tif 000003
【図２】
2014022911.tif 000004
【図３】
2014022911.tif 000005
【図４】
2014022911.tif 000006
【図５】
2014022911.tif 000007
【図６】
2014022911.tif 000008